(57)【要約】【課題】適応等化のフィルタ係数の正誤を迅速に検出できること。【解決手段】光受信器の受信部は、偏波多重された受信信号を偏波分離後にデジタル信号処理する信号処理部１０６を有する。信号処理部１０６は、フィルタ係数の制御で偏波分離後の受信信号を補償する適応等化回路２０２と、適応等化回路２０２の前段の受信信号が分岐入力され、偏波別の周波数オフセットを推定する第１の周波数オフセット推定回路２１０と、適応等化回路２０２の後段の受信信号が分岐入力され、偏波別の周波数オフセットを推定する第２の周波数オフセット推定回路２１１と、第１の周波数オフセット推定回路２１０と第２の周波数オフセット推定回路２１１が推定した周波数オフセットの推定値を比較して得た推定値の差分によりフィルタ係数の正誤を判定する判定回路２１２とを有する。判定回路２１２は誤りとの判定時は適応等化回路２０２にフィルタ係数の再計算のトリガを出力する。【選択図】図２
2015091068.tif 000002
【特許請求の範囲】
【請求項１】
偏波多重された受信信号を偏波分離後にデジタル信号処理する信号処理部を有し、
前記信号処理部は、
フィルタ係数の制御により偏波分離後の前記受信信号を補償する適応等化回路と、
前記適応等化回路の前段の受信信号が分岐入力され、偏波別の周波数オフセットを推定する第１の周波数オフセット推定回路と、
前記適応等化回路の後段の受信信号が分岐入力され、偏波別の周波数オフセットを推定する第２の周波数オフセット推定回路と、
前記第１の周波数オフセット推定回路と前記第２の周波数オフセット推定回路が推定した周波数オフセットの推定値の比較により得られた当該推定値の差分に基づき、前記フィルタ係数の正誤を判定し、誤りとの判定時には前記適応等化回路に前記フィルタ係数の再計算のトリガを出力する判定回路と、
を有することを特徴とする光受信器。
【請求項２】
前記第１の周波数オフセット推定回路と前記第２の周波数オフセット推定回路に対する動作開始トリガを出力する制御回路と、
前記第２の周波数オフセット推定回路に対する動作開始トリガを前記適応等化回路による信号処理時間分遅延させる遅延回路と、
を有することを特徴とする請求項１に記載の光受信器。
【請求項３】
前記判定回路は、前記適応等化回路の偏波出力の反転に対応し、一方の前記偏波に対する推定値として、前記第１の周波数オフセット推定回路が出力する推定値に対し、前記第２の周波数オフセット推定回路が出力する推定値の差分の絶対値が小さい推定値を選択することを特徴とする請求項１または２に記載の光受信器。
【請求項４】
前記第１の周波数オフセット推定回路は、一方の偏波側の受信信号に基づき当該一方の偏波側の推定値を出力することを特徴とする請求項３に記載の光受信器。
【請求項５】
前記第１の周波数オフセット推定回路の分岐入力前段に設けられ、所定の周波数オフセットを付加する周波数オフセット付加回路を有し、
前記判定回路は、前記周波数オフセット付加回路により所定の周波数オフセットを付加した場合における前記第１の周波数オフセット推定回路と前記第２の周波数オフセット推定回路が出力する推定値のうち前記付加した周波数オフセットの差分に基づき、前記フィルタ係数の正誤を判定することを特徴とする請求項１〜４のいずれか一つに記載の光受信器。
【請求項６】
前記周波数オフセット付加回路は、複数のタイミング毎に異なる周波数オフセットを付加し、
前記判定回路は、前記複数のタイミング毎に前記第１の周波数オフセット推定回路と前記第２の周波数オフセット推定回路が出力する推定値のうち前記付加した周波数オフセットの差分を求め、前記複数のタイミングの全てで当該付加した周波数オフセットの差分が生じた場合に、前記フィルタ係数が誤りと判定することを特徴とする請求項５に記載の光受信器。
【請求項７】
前記受信信号は、Ｘ偏波とＹ偏波が偏波多重され、
前記第１の周波数オフセット推定回路および前記第２の周波数オフセット推定回路は、それぞれ前記Ｘ偏波用の回路と前記Ｙ偏波用の回路を有し、
前記判定回路は、前記Ｘ偏波同士の推定値を比較し、前記Ｙ偏波同士の推定値を比較することを特徴とする請求項１〜６のいずれか一つに記載の光受信器。
【請求項８】
前記判定回路は、前記第１の周波数オフセット推定回路と前記第２の周波数オフセット推定回路が推定した周波数オフセットの推定値の比較により得られた当該推定値の差分を所定のしきい値と比較し、前記差分が前記しきい値を超えたときに前記フィルタ係数が誤りと判定することを特徴とする請求項１〜７のいずれか一つに記載の光受信器。
【請求項９】
偏波多重された受信信号を偏波分離後にデジタル信号処理する信号処理部を有する光受信器の受信方法において、
前記信号処理部は、
フィルタ係数の制御により偏波分離後の前記受信信号を適応等化回路により補償する適応等化処理の工程と、
前記適応等化回路の前段の受信信号の分岐入力により、偏波別の周波数オフセットを推定する第１の周波数オフセット推定工程と、
前記適応等化回路の後段の受信信号の分岐入力により、偏波別の周波数オフセットを推定する第２の周波数オフセット推定工程と、
前記第１の周波数オフセット推定工程と前記第２の周波数オフセット推定工程により推定された周波数オフセットの推定値を比較して得た当該推定値の差分に基づき、前記フィルタ係数の正誤を判定し、誤りとの判定時には前記適応等化回路に前記フィルタ係数の再計算のトリガを出力する判定工程と、
を含むことを特徴とする光受信方法。
【発明の詳細な説明】
【技術分野】
【０００１】
本発明は、光伝送システムに用いられる光受信器および光受信方法に関する。
【背景技術】
【０００２】
近年、デジタル信号処理技術を用いたコヒーレント光通信の導入が進んでいる。コヒーレント光通信では、伝送量を増やすために伝送レートが高速化されているが、高速化に比例して波形歪みが発生し伝送品質を劣化させる。このため、送信器の送信信号（光信号）について、Ｈ（Ｈｏｒｉｚｏｎｔａｌ）偏波と、Ｖ（Ｖｅｒｔｉｃａｌｉｔｙ）偏波の直交する偏波を多重させる技術がある。この偏波多重により、偏波あたりの伝送レートを減らしつつ高速な通信が実現できる。
【０００３】
伝送路を通過した送信信号（偏波多重信号）は、受信器（デジタルコヒーレント受信器）の受信部の入力端に設けられる偏波分離回路によって二つの直交偏波成分に分離される。分離後の受信信号は、Ｉ，Ｑ成分の分離、光電気変換、アナログデジタル変換の各部を介した後に、量子化されたデジタル信号として信号処理回路に入力される。
【０００４】
偏波多重信号は、伝送路中において偏波回転、偏波モード分散（ＰＭＤ）などの影響を受けるため、偏波分離回路だけは偏波を完全に分離することは困難である。一般的には、信号処理回路に内部に設けられる適応等化回路により偏波分離の処理が行われる。
【０００５】
適応等化回路には、例えば、複数のフィルタをたすき形に掛け合わせ接続したバタフライ型ＦＩＲフィルタが用いられる。偏波分離だけの補償であれば、バタフライ型ＦＩＲフィルタに用いる複数のフィルタは１タップで構成できる。これに対し、偏波モード分散や波長分散などの線形劣化の等化等についても補償する場合には、各フィルタには複数のタップを有する複素デジタルＦＩＲフィルタを用いる必要がある。このタップ数は、補償の範囲により数〜数十タップまでと様々である。各フィルタの係数を最適制御するアルゴリズムとしては、ＣＭＡ（Ｃｏｎｓｔａｎｔ  Ｍｏｄｕｌｕｓ  Ａｌｇｏｒｉｔｈｍ）法などが提案されている（例えば、下記非特許文献１参照）。
【０００６】
信号処理回路内部の適応等化回路の後段には、受信器の周波数オフセット（光受信周波数と局発光の周波数の差分）を補償する周波数オフセット補償回路が設けられる。この周波数オフセット補償回路としては、例えばｍ値のＰＳＫ信号をｍ乗することにより、複素電界情報から符号化成分と雑音成分を除去して周波数オフセットの成分を抽出する技術が開示されている（例えば、下記非特許文献２参照）。また、信号の仮判定を行い、仮判定の結果を差し引いて符号化成分を除去し、周波数オフセットの推定範囲を拡大する技術が知られている（例えば、下記非特許文献３参照）。
【０００７】
そして、ＰＳＫ信号のＦＩＲフィルタの出力について以前の出力との差分を求め、等化係数を更新する技術がある（例えば、下記特許文献１参照。）。また、周波数オフセットをモニタし、周波数オフセットが規定値以下になるまで波長分散補償の等化器の係数演算を行う技術がある（例えば、下記特許文献２参照。）。また、伝送路の波形劣化を受けた信号の周波数データと、波形劣化がない基準波形の周波数データの周波数差が最小となるように補償特性を制御する技術がある（例えば、下記特許文献３参照。）。また、再生した光信号のクロックと予め決められたクロックの周波数差が小さくなるように分散補償量を調整する技術がある（例えば、下記特許文献４参照。）。
【先行技術文献】
【特許文献】
【０００８】
【特許文献１】特開２０１１−２１１７０６号公報
【特許文献２】特開２０１０−２６８３９０号公報
【特許文献３】特開２００２−２６１６９２号公報
【特許文献４】特開２００８−１０９７１号公報
【非特許文献】
【０００９】
【非特許文献１】Ｃ. Ｒｉｃｈａｒｄ  Ｊｏｈｎｓｏｎ，外５名，「Ｂｌｉｎｄ  Ｅｑｕａｌｉｚａｔｉｏｎ  Ｕｓｉｎｇ  ｔｈｅ  Ｃｏｎｓｔａｎｔ  Ｍｏｄｕｌｕｓ  Ｃｒｉｔｅｒｉｏｎ：Ａ  Ｒｅｖｉｅｗ」，Ｐｒｏｃｅｅｄｉｎｇｓ  ｏｆ  ｔｈｅ  ＩＥＥＥ，ｖｏｌ．８６，Ｎｏ．１０，１９９８年１０月
【非特許文献２】Ａｎｄｒｅａｓ  Ｌｅｖｅｎ，外３名，「Ｆｒｅｑｕｅｎｃｙ  Ｅｓｔｉｍａｔｉｏｎ  ｉｎ  Ｉｎｔｒａｄｙｎｅ  Ｒｅｃｅｐｔｉｏｎ」，ＩＥＥＥ  Ｐｈｏｔｏｎｉｃｓ  Ｔｅｃｈｎｏｌｏｇｙ  Ｌｅｔｔｅｒｓ，ｖｏｌ．１９，Ｎｏ．６，ｐ．３６６−３６８，２００７年３月
【非特許文献３】Ｈｉｓａｏ  Ｎａｋａｓｈｉｍａ，外１０名，「Ｎｏｖｅｌ  Ｗｉｄｅ−ｒａｎｇｅ  Ｆｒｅｑｕｅｎｃｙ  Ｏｆｆｓｅｔ  Ｃｏｍｐｅｎｓａｔｏｒ  Ｄｅｍｏｎｓｔｒａｔｅｄ  ｗｉｔｈ  Ｒｅａｌ−ｔｉｍｅ  Ｄｉｇｉｔａｌ  Ｃｏｈｅｒｅｎｔ  Ｒｅｃｅｉｖｅｒ」，３４ｔｈ  Ｅｕｒｏｐｅａｎ  Ｃｏｎｆｅｒｅｎｃｅ  ａｎｄ  Ｅｘｈｉｂｉｔｉｏｎ  ｏｎ  Ｏｐｔｉｃａｌ  Ｃｏｍｍｕｎｉｃａｔｉｏｎ（ＥＣＯＣ２００８），Ｍｏ．３．Ｄ．４，２００８年９月
【発明の概要】
【発明が解決しようとする課題】
【００１０】
しかしながら、適応等化回路のフィルタ係数の最適制御は、適応等化回路への入力信号の電力、調整係数の大きさ、係数の初期値、信号品質等の要因によって誤りが生じると最適制御できない場合が生じた。
【００１１】
従来技術では、受信部の後段に設けられ、デジタル信号の出力を信号処理する受信信号処理回路がパケットを解析して得たデータの誤りに基づき、受信部が正しく機能しているか否かを判断していた。この受信信号処理回路では、受信部の出力を受けてフレームの同期および解析、誤り率の算出等の各種信号処理に所定の処理時間がかかる。このため、受信信号処理回路は、受信部の適応等化回路に対して、正しいフィルタ係数を再計算させるためのトリガを出力するまでに時間がかかる。また、受信信号処理回路は、パケットの誤りの原因が適応等化回路のフィルタ係数の最適制御の誤りに基づくものと特定するまでに時間がかかる。
【００１２】
さらに、受信信号処理回路の一度の計算によって適応等価回路のフィルタ係数が正しい値に収束しない場合には、受信信号処理回路が複数回にわたって再計算を繰り返すこととなり、フィルタ係数が正しい値に収束するまでには再計算分の時間がさらにかかった。
【００１３】
一つの側面では、本発明は、適応等化のフィルタ係数の正誤を迅速に検出できることを目的とする。
【課題を解決するための手段】
【００１４】
一つの案では、偏波多重された受信信号を偏波分離後にデジタル信号処理する信号処理部を有し、前記信号処理部は、フィルタ係数の制御により偏波分離後の前記受信信号を補償する適応等化回路と、前記適応等化回路の前段の受信信号が分岐入力され、偏波別の周波数オフセットを推定する第１の周波数オフセット推定回路と、前記適応等化回路の後段の受信信号が分岐入力され、偏波別の周波数オフセットを推定する第２の周波数オフセット推定回路と、前記第１の周波数オフセット推定回路と前記第２の周波数オフセット推定回路が推定した周波数オフセットの推定値の比較により得られた当該推定値の差分に基づき、前記フィルタ係数の正誤を判定し、誤りとの判定時には前記適応等化回路に前記フィルタ係数の再計算のトリガを出力する判定回路と、を有する。
【発明の効果】
【００１５】
一つの実施形態によれば、適応等化のフィルタ係数の正誤を迅速に検出できる。
【図面の簡単な説明】
【００１６】
【図１】図１は、実施の形態１にかかる光受信器の全体構成を示す図である。
【図２】図２は、実施の形態１にかかる信号処理部の内部構成を示すブロック図である。
【図３】図３は、判定回路による推定値の差分の判定内容を説明する図表である。
【図４】図４は、実施の形態１にかかるフィルタ係数の最適制御の誤り検出処理を示すフローチャートである。
【図５】図５は、実施の形態２にかかる信号処理部の内部構成を示すブロック図である。
【図６】図６は、周波数オフセット推定回路１，２の動作タイミングを示すタイミングチャートである。
【図７】図７は、実施の形態３にかかる信号処理部の内部構成を示すブロック図である。
【図８】図８は、判定回路による尤もらしい推定値の判断を説明する図表である。
【図９】図９は、実施の形態４にかかる信号処理部の内部構成を示すブロック図である。
【図１０】図１０は、周波数オフセットの変化に基づく推定値１，２の変化状態を示す図表である。
【図１１】図１１は、実施の形態４にかかるフィルタ係数の最適制御の誤り検出処理を示すフローチャートである。
【発明を実施するための形態】
【００１７】
（実施の形態１）
以下に添付図面を参照して、開示技術の好適な実施の形態を詳細に説明する。図１は、実施の形態１にかかる光受信器の全体構成を示す図である。
【００１８】
光受信器は、デジタルコヒーレント受信部（受信部）１００と、受信部１００の出力データを信号処理する受信信号処理回路１１０と、を含む。
【００１９】
受信部１００は、伝送路から入力される受信信号（偏波多重信号）の偏波を分離する偏波分離器１０１に入力され、偏波分離器１０１は、受信信号を二つの直交偏波成分に分離する。分離された直交偏波成分Ｘ，Ｙは、それぞれ光９０度ハイブリッド回路１０３（Ｘ偏波成分用の１０３ａ、およびＹ偏波成分用の１０３ｂ）に入力される。この光９０度ハイブリッド回路１０３（１０３ａ，１０３ｂ）には、局発光源１０２からの直交信号が入力され、光９０度ハイブリッド回路１０３は、受信信号が局発信号と混合され、Ｉ，Ｑ成分が分離される。
【００２０】
光９０度ハイブリッド回路１０３（１０３ａ，１０３ｂ）の出力（Ｉ，Ｑ成分）は、バランス型ＰＤ等の光電気変換部１０４（１０４ａ〜１０４ｄ）にそれぞれ入力され、光電変換された後、ＡＤ変換器１０５（１０５ａ〜１０５ｄ）によりアナログ−デジタル変換される。ＡＤ変換器１０５ａ〜１０５ｄは、それぞれ量子化したＸ偏波のＩ成分（Ｘ＿Ｉ）、以下同様にＸ＿Ｑ、Ｙ＿Ｉ、Ｙ＿Ｑ成分を信号処理部１０６に出力する。
【００２１】
この信号処理部１０６は、偏波回転、偏波モード分散（ＰＭＤ）などの影響により偏波分離器１０１だけでは分離できない偏波に対する補償（偏波分離のほかに偏波モード分散、波長分散の補償）をデジタル信号処理により行う。この信号処理部１０６は、上述した適応等化回路等を含む。
【００２２】
受信部１００の信号処理部１０６から出力される出力データは、受信信号処理回路１１０に入力される。受信信号処理回路１１０は、受信部１００のデジタルの出力データに対し、フレームの同期および解析、誤り率の算出等の各種信号処理を行う。
【００２３】
信号処理部１０６は、例えばＦＰＧＡにより構成することができ、受信信号処理回路１１０は、ＤＳＰ等のプロセッサにより構成することができる。
【００２４】
図２は、実施の形態１にかかる信号処理部の内部構成を示すブロック図である。図１に示した受信部１００に設けられる信号処理部１０６について説明する。信号処理部１０６は、準静的等化回路２０１、適応等化回路２０２、周波数オフセット補償回路２０３、位相同期回路２０４、識別回路２０５を含む。周波数オフセット補償回路２０３〜識別回路２０５は、図示のように、二つの直交偏波成分（Ｘ，Ｙ）用にそれぞれ周波数オフセット補償回路２０３ａ，２０３ｂ〜識別回路２０５ａ，２０５ｂを有する。
【００２５】
準静的等化回路２０１には、Ｘ，Ｙ偏波の各ＩＱ成分（Ｘ＿Ｉ，Ｘ＿Ｑ，Ｙ＿Ｉ，Ｙ＿Ｑ）が入力され、分散補償を行う。適応等化回路２０２は、上述したバタフライ型ＦＩＲフィルタ等からなり、上述したＣＭＡ法（上記非特許文献１参照）等を用いて各フィルタのフィルタ係数（ｃｏｅｆ：ｃｏｅｆｆｉｃｉｅｎｔ）が最適となるように制御することにより、偏波分離、偏波モード分散、波長分散などを等化補償できるようになる。
【００２６】
適応等化回路２０２の後段には、受信器の周波数オフセット（光受信周波数と局発光の周波数の差分）を補償する周波数オフセット補償回路２０３（２０３ａ，２０３ｂ）が設けられる（上記非特許文献２，３参照）。周波数オフセット補償回路２０３の後段には、Ｘ，Ｙ偏波の各ＩＱ成分（Ｘ＿Ｉ，Ｘ＿Ｑ，Ｙ＿Ｉ，Ｙ＿Ｑ）の位相を同期させる位相同期回路２０４（２０４ａ，２０４ｂ）が設けられる。位相同期回路２０４の後段には、各Ｘ，Ｙ偏波の各ＩＱ成分（Ｘ＿Ｉ，Ｘ＿Ｑ，Ｙ＿Ｉ，Ｙ＿Ｑ）のデータ（受信信号）を識別再生する識別回路２０５（２０５ａ，２０５ｂ）が設けられる。
【００２７】
そして、実施の形態１の信号処理部１０６は、さらに、周波数オフセット推定回路１，２（第１の周波数オフセット推定回路２１０，第２の周波数オフセット推定回路２１１）と、判定回路２１２と、を含む。周波数オフセット推定回路１（２１０ａ）は、適応等化回路２０２の配置位置よりも前段に設けられ、主信号ライン上のＸ偏波の各ＩＱ成分（Ｘ＿Ｉ，Ｘ＿Ｑ）を分岐入力する。また、周波数オフセット推定回路１（２１０ｂ）は、主信号ライン上のＹ偏波の各ＩＱ成分（Ｙ＿Ｉ，Ｙ＿Ｑ）を分岐入力する。
【００２８】
また、周波数オフセット推定回路２（２１１）は、適応等化回路２０２の後段に設けられ、Ｘ偏波の各ＩＱ成分（Ｘ＿Ｉ’，Ｘ＿Ｑ’）を入力とする周波数オフセット推定回路２（２１１ａ）と、Ｙ偏波の各ＩＱ成分（Ｙ＿Ｉ’，Ｙ＿Ｑ’）を入力とする周波数オフセット推定回路２（２１１ｂ）と、を含む。
【００２９】
これら周波数オフセット推定回路１，２（２１０，２１１）は、それぞれ周波数オフセットの推定値１，２（光受信周波数と局発光の周波数の差分を推定した値であり、単位は例えばラジアンや周波数）を判定回路２１２に出力する。
【００３０】
周波数オフセット推定回路１（２１０）は、適応等化回路２０２に入力される受信信号に対する周波数オフセットを推定する一方、周波数オフセット推定回路２（２１１）は、適応等化回路２０２から出力される受信信号に基づき周波数オフセットを推定する。したがって、周波数オフセット推定回路１（２１０）は、周波数オフセット推定回路２（２１１）に対して基準となる周波数オフセットを推定する回路となる。すなわち、推定値１に対する推定値２の差分（ずれ）に基づき、適応等化回路２０２のフィルタ係数の正誤を判定できる。
【００３１】
周波数オフセット推定回路１（２１０）は、例えば、入力信号を微分する微分回路、ＩＱ成分を乗算する乗算回路、乗算回路の出力を加算する加算回路等を有し、周波数オフセットの成分を抽出する。この周波数オフセット推定回路１（２１０）は、例えば、非特許文献４（Ｚ．Ｔａｏ，外５名，「Ｓｉｍｐｌｅ，Ｒｏｂｕｓｔ，ａｎｄ  Ｗｉｄｅ−Ｒａｎｇｅ  Ｆｒｅｑｕｅｎｃｙ  Ｏｆｆｓｅｔ  Ｍｏｎｉｔｏｒ  ｆｏｒ  Ａｕｔｏｍａｔｉｃ  Ｆｒｅｑｕｅｎｃｙ  Ｃｏｎｔｒｏｌ  ｉｎ  Ｄｉｇｉｔａｌ  Ｃｏｈｅｒｅｎｔ  Ｒｅｃｅｉｖｅｒｓ」，２００７  ３３ｒｄ  Ｅｕｒｏｐｅａｎ  Ｃｏｎｆｅｒｅｎｃｅ  ａｎｄ  Ｅｘｈｉｂｉｔｉｏｎ  ｏｎ  Ｏｐｔｉｃａｌ  Ｃｏｍｍｕｎｉｃａｔｉｏｎ（ＥＣＯＣ），１６−２０．２００７年９月，ｐ１−２）等に記載された技術を用いることができる。
【００３２】
また、後段の周波数オフセット推定回路２（２１１）は、例えば、上述した非特許文献２，３等の技術を用いて周波数オフセットを推定できる。
【００３３】
このように、実施の形態１では、適応等化回路２０２の前段および後段にそれぞれ周波数オフセット推定回路１，２（２１０，２１１）を設ける。このような構成によれば、前段の周波数オフセット推定回路１（２１０）からは正しい周波数オフセットの推定値１が出力される。そして、適応等化回路２０２のフィルタ係数の最適制御が誤った場合、後段の周波数オフセット推定回路２（２１１）からは適応等化回路２０２による誤ったフィルタ係数に基づき推定値１に対して差分が生じた周波数オフセットの推定値２が出力されることになる。
【００３４】
したがって、判定回路２１２では、これら周波数オフセット推定回路１，２（２１０，２１１）から出力される推定値１，２の違い（差分）を検出する。この際、判定回路２１２は、Ｘ偏波の推定値１，２の差分については、周波数オフセット推定回路１，２（２１０ａ，２１１ａ）が出力する推定値１，２を用いる。同様に、判定回路２１２は、Ｙ偏波の推定値１，２の差分については、周波数オフセット推定回路１，２（２１０ｂ，２１１ｂ）が出力する推定値１，２を用いる。
【００３５】
図３は、判定回路による推定値の差分の判定内容を説明する図表である。判定回路２１２は、周波数オフセット推定回路１，２（２１０，２１１）が出力する推定値１，２の差分Δが所定のしきい値Ｌを超えているか否かについて、所定の判定タイミングを設けて１回もしくは複数回確認する。複数回の確認を行えば、判定の確からしさを向上でき、判定回路２１２による誤った判定から保護できるようになる。
【００３６】
図３に示すように、しきい値Ｌは、正常動作時に生じる推定値の差分Δを所定値以上超えた値に設定する。そして、判定回路２１２は、周波数オフセットの推定値１，２の差分Δがしきい値Ｌを超えた場合には、適応等化回路２０２に対して、正しいフィルタ係数を再計算するトリガを出力する。
【００３７】
図４は、実施の形態１にかかるフィルタ係数の最適制御の誤り検出処理を示すフローチャートである。はじめに、周波数オフセット推定回路１（２１０）は、適応等化回路２０２に入力される受信信号に対する周波数オフセットを推定し、推定値１を確定する（ステップＳ４０１）。
【００３８】
次に、周波数オフセット推定回路２（２１１）は、適応等化回路２０２から出力される受信信号に基づき周波数オフセットを推定し、推定値２を確定する（ステップＳ４０２）。
【００３９】
そして、判定回路２１２は、受信信号の周波数オフセットの推定値１，２を比較する（ステップＳ４０３）。この際、判定回路２１２は、Ｘ偏波の推定値の違いについて、周波数オフセット推定回路１，２（２１０ａ，２１１ａ）が出力する推定値を比較する。同様に、判定回路２１２は、Ｙ偏波の推定値の違いについて、周波数オフセット推定回路１，２（２１０ｂ，２１１ｂ）が出力する推定値を比較する。
【００４０】
そして、判定回路２１２は、推定値１，２の比較結果に基づき、保護処理を行う（ステップＳ４０４）。具体的には、判定回路２１２は、周波数オフセットの推定値１，２の差分Δがしきい値Ｌ以下であれば、適応等化回路２０２に対してフィルタ係数の再計算のためのトリガを出力しない。
【００４１】
しかし、推定値１，２の差分Δがしきい値Ｌを超えた場合、判定回路２１２は、適応等化回路２０２に対して、正しいフィルタ係数を再計算させるためのトリガを出力する。すなわち、適応等化回路２０２は、誤ったフィルタ係数を用いた適応等化を行うと、偏波分離等の補償を正確に行えない。この場合、判定回路２１２は、適応等化回路２０２に対して正しいフィルタ係数となるための再計算のトリガを出力する。
【００４２】
なお、ステップＳ４０４の実行は、ステップＳ４０１〜ステップＳ４０３を複数回実行後に行う構成としてもよい。この場合、判定回路２１２は、推定値１，２の差分がしきい値を超えていないかを複数回確認するため、判定の確からしさを向上でき、判定回路２１２による誤った判定から保護できるようになる。このように、推定値１，２の差分がしきい値を超えていないかを複数回確認する場合であっても、受信部１００（信号処理部１０６）内部での処理で済む。このため、受信部１００外部の受信信号処理回路１１０のトリガ出力タイミングに比してより迅速にトリガ出力が可能である。
【００４３】
実施の形態１によれば、判定回路２１２は、適応等化回路２０２の前段および後段の周波数オフセット推定回路１，２（２１０，２１１）の推定値１，２の差分を検出して、適応等化回路２０２のフィルタ係数の最適制御の誤りを検出する。これら周波数オフセット推定回路１，２（２１０，２１１）と、判定回路２１２は、受信部１００内部（信号処理部１０６）に設けられており、適応等化回路２０２に対し正しいフィルタ係数を再計算するためのトリガを早急に出力できる。
【００４４】
周波数オフセット推定回路１，２（２１０，２１１）は、適応等化回路２０２の前段および後段に設けるだけでよく、簡単な構成で迅速にフィルタ係数の正誤を判定できる。
【００４５】
具体的には、実施の形態１に示したように、受信部１００内に判定回路２１２を設けて判定（正しいフィルタ係数を再計算するための検出）にかかる時間は、例えば、マイクロ秒オーダーである。これに対し、後段の受信信号処理回路１１０における正しいフィルタ係数を再計算するための検出（フレームの同期および解析、誤り率の算出等の各種信号処理）には、ミリ秒オーダーの時間を要することがある。
【００４６】
したがって、実施の形態１によれば、障害発生時などに経路の切り替えが発生した場合であっても、早急なトリガ出力により適応等化回路２０２が伝送特性（偏波等）を補償するに適合した正しいフィルタ係数を用いた適応等化を迅速に行えるようになる。そして、正しいフィルタ係数を用いて受信器（受信部１００）を迅速に立ち上げて受信信号を正常に受信できるようになる。
【００４７】
一般的に、障害発生時の経路の切り替えは５０ｍｓ以内に行う要求があるが、早急に受信器（受信部１００）を立ち上げることができるため、この経路切り替えの要求を満たして受信信号を正常に受信できるようになる。また、運用時におけるフィルタ係数は、伝送路の動的な変化（上記偏波回転やＰＭＤ等）に追従制御する。この際、追従が外れたときにおいても、早急に追従が外れたことを検知でき、経路の切り替えへのトリガを早くかけることができるため、切り替え時間の短縮化を図ることができるようになる。
【００４８】
このように、適応等化回路２０２のフィルタ係数の再計算は、１．受信器（受信部１００）の立ち上げ時、２．伝送路障害等による経路の切り替え時、および３．伝送路の動的な変化に対する追従時、等においても同様に必要となる。上記構成によれば、これら１．〜３．のいずれの事象発生時においても同様に、迅速に正しいフィルタ係数に収束できるようになり、適応制御による偏波分離等を正常に行って、受信信号を迅速かつ正常に受信できるようになる。
【００４９】
（実施の形態２）
図５は、実施の形態２にかかる信号処理部の内部構成を示すブロック図である。図１に示した受信部１００に設けられる信号処理部１０６について説明する。図５において、実施の形態１（図２）と同様の構成部には同一の符号を付してある。
【００５０】
実施の形態２では、判定回路２１２による複数回の推定値１，２の差分の判定を所定の判定タイミングを有して行う回路構成例について説明する。図５に示す信号処理部１０６は、図２に示した回路に加えて、比較開始制御回路５０１と、遅延回路５０２と、を含む。
【００５１】
比較開始制御回路５０１は、比較開始制御のトリガ（比較開始トリガ）を所定タイミングで周波数オフセット推定回路１，２（２１０，２１１）に出力する。この比較開始制御回路５０１には、上述した受信器（受信部１００）の１．立ち上げ時、２．伝送路障害等による経路の切り替え時、および３．伝送路の動的な変化に対する追従時、等の各事象発生時における比較開始トリガの出力タイミングが設定されている。
【００５２】
遅延回路５０２は、適応等化回路２０２の後段に設けられる周波数オフセット推定回路２（２１１）に対する比較開始トリガを所定の遅延時間を有して遅延させる。
【００５３】
図６は、周波数オフセット推定回路１，２の動作タイミングを示すタイミングチャートである。信号処理部１０６の内部動作クロックに同期して、周波数オフセット推定回路１，２（２１０，２１１）は、入力された受信信号ａ，ｂ，ｃ，…（Ｘ，Ｙ偏波の各ＩＱ成分であるＸ＿Ｉ，Ｘ＿Ｑ，Ｙ＿Ｉ，Ｙ＿Ｑ，Ｘ＿Ｉ’，Ｘ＿Ｑ’，Ｙ＿Ｉ’，Ｙ＿Ｑ’）に対する推定値を推定する。
【００５４】
そして、比較開始制御回路５０１は、上記１．〜３．の各事象発生時に比較開始トリガを周波数オフセット推定回路１，２（２１０，２１１）に出力する。この比較開始トリガにより、適応等化回路２０２の前段に設けられる周波数オフセット推定回路１（２１０）は直ちに時期ｔ１で動作開始する。
【００５５】
ここで、判定回路２１２による推定値１，２の差分を検出するための比較動作の開始は適応等化回路２０２の（動作処理時間）フィルタ係数の収束が完了したタイミングで行う。これは、適応等化回路２０２の後段に設けられる周波数オフセット推定回路２（２１１）によって正常な推定値を得るためである。
【００５６】
このために、周波数オフセット推定回路１（２１０）で用いた受信信号ａ，ｂ，ｃ，…が周波数オフセット推定回路２（２１１）に到達する回路遅延時間ＴＤを事前に算出しておく。回路遅延時間ＴＤは、信号処理部１０６の準静的等化回路２０１および適応等化回路２０２が受信信号を信号処理するに必要な時間に相当する。
【００５７】
そして、遅延回路５０２は、回路遅延時間ＴＤだけ比較開始トリガを遅延させる設定、あるいは回路構成としておく。これにより、周波数オフセット推定回路２（２１１）は、比較開始制御回路５０１が出力する比較開始トリガが回路遅延時間ＴＤだけ遅延した時期ｔ２に動作開始する。
【００５８】
これにより、周波数オフセット推定回路１，２（２１０，２１１）は、同一の受信信号ａ，ｂ，ｃ，…に対する推定値１，２をそれぞれ計算でき、判定回路２１２による推定値１，２の比較が行えるようになる。
【００５９】
実施の形態２においても、実施の形態１（図４参照）同様に、判定回路による推定値の差分の判定処理を行う。この際、比較開始制御回路５０１による比較開始トリガの出力タイミング（時期ｔ１）により、周波数オフセット推定回路１（２１０）は、受信信号ａ，ｂ，ｃ，…に対する推定値１を算出する（ステップＳ４０１）。この後、比較開始トリガの回路遅延時間ＴＤ経過のタイミング（時期ｔ２）経過時に、周波数オフセット推定回路２（２１１）は、同一の受信信号ａ，ｂ，ｃ，…に対する推定値２を算出する（ステップＳ４０２）。これにより、判定回路２１２は、同一の受信信号ａ，ｂ，ｃ，…に基づき推定された周波数オフセットの推定値１，２の比較を行うことができる（ステップＳ４０３）。
【００６０】
そして、ステップＳ４０１〜ステップＳ４０３を複数回実行後に、保護処理（ステップＳ４０４）を実行する構成としてもよい。この場合、比較開始制御回路５０１は、比較開始トリガを複数回出力することとなり、ステップＳ４０３では、複数回の推定値の差分を算出する。これにより、判定回路２１２は、同一の受信信号ａ，ｂ，ｃ，…に対して、異なるタイミングで算出された推定値１，２の差分がしきい値を超えていないかを複数回確認するため、判定の確からしさを向上でき、判定回路２１２による誤った判定から保護できるようになる。
【００６１】
また、比較開始トリガを複数回出力する場合であっても、受信部１００（信号処理部１０６）内部での処理で済む。このため、受信部１００外部の受信信号処理回路１１０のトリガ出力タイミングに比してより迅速にトリガ出力が可能である。
【００６２】
実施の形態２によれば、適応等化回路２０２の前段と後段に設けられる周波数オフセット推定回路１，２（２１０，２１１）は、適応等化回路２０２の動作処理時間を考慮して、同一の受信信号ａ，ｂ，ｃ，…に対して周波数オフセットの推定値を算出する。実施の形態１の効果に加えて、判定回路２１２が同一の受信信号ａ，ｂ，ｃ，…に基づき推定された周波数オフセットの推定値１，２を比較できるため、判定精度をより向上できるようになる。
【００６３】
（実施の形態３）
図７は、実施の形態３にかかる信号処理部の内部構成を示すブロック図である。図１に示した受信部１００に設けられる信号処理部１０６について説明する。図７において、実施の形態１（図２）と同様の構成部には同一の符号を付してある。
【００６４】
実施の形態３では、適応等化回路２０２のＸ，Ｙ偏波の出力反転に対応して、推定値を判定する構成例について説明する。適応等化回路２０２は、実施の形態１（図２）等に示したように、適応等化後の出力について、Ｘ偏波はＸポートから出力し、Ｙ偏波はＹポートから出力する。しかし、図７に示すように、適応等化回路２０２は、Ｘ偏波（Ｘ＿Ｉ’，Ｘ＿Ｑ’）をＹポートから出力し、Ｙ偏波（Ｙ＿Ｉ’，Ｙ＿Ｑ’）をＸポートから出力する場合もある。
【００６５】
この出力反転に対応するため、判定回路２１２は、Ｘ偏波の受信信号を用いた周波数オフセット推定回路１の推定値に対して比較対象となる二つの周波数オフセット推定回路２（２１１ａ，２１１ｂ）の推定値２は、尤もらしい推定値を選択する。
【００６６】
この実施の形態３によれば、適応等化回路２０２の前段には、Ｘ偏波用の周波数オフセット推定回路１（２１０ａ）、またはＹ偏波用の周波数オフセット推定回路１（２１０ｂ）、を設ける構成としてもよい。これにより、周波数オフセット推定回路１（２１０）の個数を半減して構成をより簡素化できる。
【００６７】
図８は、判定回路による尤もらしい推定値の判断を説明する図表である。尤もらしさは、周波数オフセットの「推定値の差分の絶対値の小ささ」で判断する。図８の例では、Ｘ偏波の受信信号の推定値１に対して、差分の絶対値が小さい推定値２は、Ｙ’偏波の周波数オフセット推定回路２（２１１ａ）の出力である。このため、判定回路２１２は、Ｙ’偏波の周波数オフセット推定回路２（２１１ｂ）が出力する推定値２をＸ偏波と判断し、選択する。
【００６８】
そして、判定回路２１２は、Ｙ偏波のデータを用いた周波数オフセット推定回路１（２１０）の推定値１は、「推定値の差分の絶対値の小ささ」に基づき選択されなかった他方の周波数オフセット推定回路２（２１１ａ）が出力する推定値２と比較する。
【００６９】
実施の形態３によれば、適応等化回路２０２のＸ，Ｙ偏波の出力反転があっても、周波数オフセット推定回路１，２について互いに同一のＸ，Ｙ偏波に対する推定値１，２を用いた比較が行えるようになる。これにより、実施の形態１の効果に加えて、判定回路２１２による判定精度をより向上できるようになる。
【００７０】
（実施の形態４）
図９は、実施の形態４にかかる信号処理部の内部構成を示すブロック図である。図１に示した受信部１００に設けられる信号処理部１０６について説明する。図９において、実施の形態１（図２）と同様の構成部には同一の符号を付してある。
【００７１】
実施の形態４では、信号処理部１０６の入力段に、周波数オフセット付加回路８０１を設ける。周波数オフセット付加回路８０１は、Ｘ偏波に対して所定の周波数オフセットを付加する周波数オフセット付加回路１（８０１ａ）と、Ｙ偏波に対して所定の周波数オフセットを付加する周波数オフセット付加回路２（８０１ｂ）と、を含む。
【００７２】
図１０は、周波数オフセットの変化に基づく推定値１，２の変化状態を示す図表である。周波数オフセット付加回路８０１によって受信信号に付加させる周波数オフセットを変化させると、変化量が周波数オフセット推定回路１，２の推定量１，２に同じ変化量として現れると想定できる。
【００７３】
図１０には、周波数オフセット推定回路１，２の推定値１，２に対し、周波数オフセット付加回路８０１により所定の周波数オフセットａを付加した状態を示す。この際、周波数オフセットａを付加した際の周波数オフセット推定回路１，２（２１０，２１１）の推定値１，２の変化量が図示実線のように同じであったとする。この場合には、判定回路２１２は、適応等化回路２０２のフィルタ係数が正しいものであると判定する。
【００７４】
しかしながら、周波数オフセットａを付加した際に、周波数オフセット推定回路２（２２１１）の推定値２の変化量がａ’（図中点線の如く推定値が増加、あるいは反対に減少）して、推定値１と推定値２の変化量が異なった場合が生じたとする。この場合、判定回路２１２は、適応等化回路２０２のフィルタ係数が誤っていると判定する。そして、判定回路２１２は、適応等化回路２０２に対し、フィルタ係数を再計算させるトリガを出力する。
【００７５】
また、異なる時期に周波数オフセット付加回路８０１により所定の周波数オフセットｂを付加した場合においても同様に、推定値１と推定値２の変化量が異なった場合、適応等化回路２０２のフィルタ係数が誤っていると判定する。
【００７６】
図１１は、実施の形態４にかかるフィルタ係数の最適制御の誤り検出処理を示すフローチャートである。上述した実施の形態４の説明において、周波数オフセットを変更して複数回にわたる推定値１と推定値２の変化量の検出に基づいて、適応等化回路２０２のフィルタ係数の正誤を判定する処理例を説明する。
【００７７】
はじめに、周波数オフセット付加回路１，２（８０１）により、受信信号に対して周波数オフセット（例えば初期値として図１０に示すａ）を付与する（ステップＳ１１０１）。
【００７８】
次に、周波数オフセット推定回路１（２１０）は、付加された周波数オフセットａを含み、適応等化回路２０２に入力される受信信号に対する周波数オフセットを推定し、推定値１を確定する（ステップＳ１１０２）。
【００７９】
次に、周波数オフセット推定回路２（２１１）は、付加された周波数オフセットａを含み、適応等化回路２０２から出力される受信信号に基づき周波数オフセットを推定し、推定値２を確定する（ステップＳ１１０３）。
【００８０】
そして、判定回路２１２は、付加された周波数オフセットａを含む受信信号の周波数オフセットの推定値１，２を比較する（ステップＳ１１０４）。
【００８１】
この後、判定回路２１２は、周波数オフセット付加回路１，２（８０１）により、受信信号に対して異なる周波数オフセットｂが付与されたか判断する（ステップＳ１１０５）。この判断にかかる処理は、判定回路２１２に限らず、周波数オフセット付加回路１，２（８０１）を含む信号処理部１０６全体を統括制御する制御部（不図示）、あるいは比較開始制御回路５０１（図５参照）等が行うこととしてもよい。
【００８２】
例えば、受信信号に付加する周波数オフセットがａ，ｂの二つ場合、ステップＳ１１０５では、付加する周波数オフセットａの変更を行うために（ステップＳ１１０５：Ｙｅｓ）、ステップＳ１１０１に戻る。そして、周波数オフセット付加回路１，２（８０１）は付加する周波数オフセットをａ→ｂに変更する。以下、ステップＳ１１０２〜ステップＳ１１０４を実行し、ステップＳ１１０５では、付加する周波数オフセットｂであるため、付加する周波数オフセットｂの変更を行わず（ステップＳ１１０５：Ｎｏ）、ステップＳ１１０６に移行する。
【００８３】
ステップＳ１１０６では、判定回路２１２が推定値１，２の比較結果に基づき、保護処理を行う（ステップＳ１１０６）。この保護処理は、実施の形態１（図４のステップＳ４０４）と基本的に同一であり、判定回路２１２は、周波数オフセットの推定値１，２の差分Δをしきい値Ｌと比較して、適応等化回路２０２に対するフィルタ係数の再計算のためのトリガの出力の有無を決定する。
【００８４】
そして、実施の形態４では、上記のように、受信信号に付加する周波数オフセットがａ，ｂの二つである。このため、ステップＳ１１０６の処理では、さらに、付加した周波数オフセットがａ，ｂのいずれも、ステップＳ１１０４の推定値比較の結果、推定値１と推定値２の変化量が異なった場合に、適応等化回路２０２のフィルタ係数が誤っていると判定する。
【００８５】
このように、判定回路２１２による判定は、推定値１，２の差分をしきい値、および受信信号に付加する周波数オフセットを変化させた際の推定値１，２の変化量の差分を用いて確認するため、判定の確からしさをさらに向上でき、判定回路２１２による誤った判定から保護できるようになる。
【００８６】
上記の処理では説明の簡単化のために、受信信号に付加する周波数オフセットがａ，ｂの二つであるとしたが、この数はｎ（３以上）に増やしてもよい。また、受信信号に付加する周波数オフセットをｎ個に増やした場合であっても、受信部１００（信号処理部１０６）内部での処理で済む。このため、受信部１００外部の受信信号処理回路１１０のトリガ出力タイミングに比してより迅速にトリガ出力が可能である。
【００８７】
この実施の形態４によれば、周波数オフセット付加回路８０１によって受信信号に付加させる周波数オフセットを変化させることにより、判定回路２１２は、変化量が周波数オフセット推定回路１，２の推定量１，２に同じ変化量として現れるか否かを検出する。このように、受信器（受信部１００）内部で周波数オフセットを所定量付加することで、適応等化回路２０２のフィルタ係数の正誤を簡単に判定することができる。
【００８８】
また、上記実施の形態１〜４で説明した適応等化回路２０２入力前の主信号を用いてオフセット推定を行う周波数オフセット推定回路１（２１０）としては、他に非特許文献５（Ｔａｄａｏ  Ｎａｋａｇａｗａ，外６名，「Ｗｉｄｅ−Ｒａｎｇｅ  ａｎｄ  Ｆａｓｔ−Ｔｒａｃｋｉｎｇ  Ｆｒｅｑｕｅｎｃｙ  Ｏｆｆｓｅｔ  Ｅｓｔｉｍａｔｏｒ  ｆｏｒ  Ｏｐｔｉｃａｌ  Ｃｏｈｅｒｅｎｔ  Ｒｅｃｅｉｖｅｒｓ」，Ｅｕｒｏｐｅａｎ  Ｃｏｎｆｅｒｅｎｃｅ  ｏｎ  Ｏｐｔｉｃａｌ  Ｃｏｍｍｕｎｉｃａｔｉｏｎｓ，Ｗｅ．７．Ａ．２，Ｔｒｉｎｏ，２０１０年）の技術を用いてもよい。この技術による周波数オフセット推定回路１（２１０）を図２に示した適応等化回路２０２入力の前段（準静的等化回路２０１の後段）に分岐接続する。これにより、上記実施の形態１〜４同様に、適応等化回路２０２の前後段の周波数オフセット推定値を比較することができ、フィルタ係数の最適制御の収束誤りを判断することができる。
【００８９】
以上説明したように、実施の形態によれば、適応等化回路の前後段に設けたオフセット推定回路の推定値を判定回路により単純比較する簡単な構成で、適応等化回路のフィルタ係数の収束の正誤を判定できる。オフセット推定回路と判定回路は、適応等化回路と同じ受信部内に設けた構成であるため、判定回路による誤りとの判定時には、適応等化回路に対し、正しいフィルタ係数を再計算するトリガを早急に与えることができる。
【００９０】
これにより、障害発生時などによって伝送路の経路の切り替えが発生した場合等に、適応等化回路が行う偏波分離等を短時間で行って受信器を立ち上げることができ、早急に受信信号を正常受信できるようになる。また、経路の切り替えの要求時間（例えば５０ｍｓ以内）で受信器を立ち上げることができるようになり、受信信号を補償し正常に受信することができる。
【００９１】
また、受信器の運用時におけるフィルタ係数は伝送路の動的な変化に追従しているが、追従が外れたときにも同様に偏波分離等を早急に行える。
【００９２】
上述した各実施の形態に関し、さらに以下の付記を開示する。
【００９３】
（付記１）偏波多重された受信信号を偏波分離後にデジタル信号処理する信号処理部を有し、
前記信号処理部は、
フィルタ係数の制御により偏波分離後の前記受信信号を補償する適応等化回路と、
前記適応等化回路の前段の受信信号が分岐入力され、偏波別の周波数オフセットを推定する第１の周波数オフセット推定回路と、
前記適応等化回路の後段の受信信号が分岐入力され、偏波別の周波数オフセットを推定する第２の周波数オフセット推定回路と、
前記第１の周波数オフセット推定回路と前記第２の周波数オフセット推定回路が推定した周波数オフセットの推定値の比較により得られた当該推定値の差分に基づき、前記フィルタ係数の正誤を判定し、誤りとの判定時には前記適応等化回路に前記フィルタ係数の再計算のトリガを出力する判定回路と、
を有することを特徴とする光受信器。
【００９４】
（付記２）前記第１の周波数オフセット推定回路と前記第２の周波数オフセット推定回路に対する動作開始トリガを出力する制御回路と、
前記第２の周波数オフセット推定回路に対する動作開始トリガを前記適応等化回路による信号処理時間分遅延させる遅延回路と、
を有することを特徴とする付記１に記載の光受信器。
【００９５】
（付記３）前記判定回路は、前記適応等化回路の偏波出力の反転に対応し、一方の前記偏波に対する推定値として、前記第１の周波数オフセット推定回路が出力する推定値に対し、前記第２の周波数オフセット推定回路が出力する推定値の差分の絶対値が小さい推定値を選択することを特徴とする付記１または２に記載の光受信器。
【００９６】
（付記４）前記判定回路は、他方の前記偏波に対する推定値として、前記選択されなかった側の推定値を選択することを特徴とする付記３に記載の光受信器。
【００９７】
（付記５）前記第１の周波数オフセット推定回路は、一方の偏波側の受信信号に基づき当該一方の偏波側の推定値を出力することを特徴とする付記３に記載の光受信器。
【００９８】
（付記６）前記第１の周波数オフセット推定回路の分岐入力前段に設けられ、所定の周波数オフセットを付加する周波数オフセット付加回路を有し、
前記判定回路は、前記周波数オフセット付加回路により所定の周波数オフセットを付加した場合における前記第１の周波数オフセット推定回路と前記第２の周波数オフセット推定回路が出力する推定値のうち前記付加した周波数オフセットの差分に基づき、前記フィルタ係数の正誤を判定することを特徴とする付記１〜５のいずれか一つに記載の光受信器。
【００９９】
（付記７）前記周波数オフセット付加回路は、複数のタイミング毎に異なる周波数オフセットを付加し、
前記判定回路は、前記複数のタイミング毎に前記第１の周波数オフセット推定回路と前記第２の周波数オフセット推定回路が出力する推定値のうち前記付加した周波数オフセットの差分を求め、前記複数のタイミングの全てで当該付加した周波数オフセットの差分が生じた場合に、前記フィルタ係数が誤りと判定することを特徴とする付記６に記載の光受信器。
【０１００】
（付記８）前記受信信号は、Ｘ偏波とＹ偏波が偏波多重され、
前記第１の周波数オフセット推定回路および前記第２の周波数オフセット推定回路は、それぞれ前記Ｘ偏波用の回路と前記Ｙ偏波用の回路を有し、
前記判定回路は、前記Ｘ偏波同士の推定値を比較し、前記Ｙ偏波同士の推定値を比較することを特徴とする付記１〜７のいずれか一つに記載の光受信器。
【０１０１】
（付記９）前記判定回路は、前記第１の周波数オフセット推定回路と前記第２の周波数オフセット推定回路が推定した周波数オフセットの推定値の比較により得られた当該推定値の差分を所定のしきい値と比較し、前記差分が前記しきい値を超えたときに前記フィルタ係数が誤りと判定することを特徴とする付記１〜８のいずれか一つに記載の光受信器。
【０１０２】
（付記１０）偏波多重された受信信号を偏波分離後にデジタル信号処理する信号処理部を有する光受信器の受信方法において、
前記信号処理部は、
フィルタ係数の制御により偏波分離後の前記受信信号を適応等化回路により補償する適応等化処理の工程と、
前記適応等化回路の前段の受信信号の分岐入力により、偏波別の周波数オフセットを推定する第１の周波数オフセット推定工程と、
前記適応等化回路の後段の受信信号の分岐入力により、偏波別の周波数オフセットを推定する第２の周波数オフセット推定工程と、
前記第１の周波数オフセット推定工程と前記第２の周波数オフセット推定工程により推定された周波数オフセットの推定値を比較して得た当該推定値の差分に基づき、前記フィルタ係数の正誤を判定し、誤りとの判定時には前記適応等化回路に前記フィルタ係数の再計算のトリガを出力する判定工程と、
を含むことを特徴とする光受信方法。
【符号の説明】
【０１０３】
１００  受信部
１０１  偏波分離器
１０２  局発光源
１０３  光９０度ハイブリッド回路
１０４  光電気変換部
１０５  ＡＤ変換器
１０６  信号処理部
１１０  受信信号処理回路
２０１  準静的等化回路
２０２  適応等化回路
２０３  周波数オフセット補償回路
２０４  位相同期回路
２０５  識別回路
２１０，２１１  周波数オフセット推定回路
２１２  判定回路
５０１  比較開始制御回路
５０２  遅延回路
８０１  周波数オフセット付加回路
【図１】
2015091068.tif 000003
【図２】
2015091068.tif 000004
【図３】
2015091068.tif 000005
【図４】
2015091068.tif 000006
【図５】
2015091068.tif 000007
【図６】
2015091068.tif 000008
【図７】
2015091068.tif 000009
【図８】
2015091068.tif 000010
【図９】
2015091068.tif 000011
【図１０】
2015091068.tif 000012
【図１１】
2015091068.tif 000013